(57)【要約】      （修正有）【課題】沈殿槽等の清掃時に悪臭を周囲に放出させることなく、また、タンク内に水が溜まるということを気にすることなく使用できる乾湿両用のバキュームクリーナーを提供する。【解決手段】乾湿両用バキュームクリーナー１は、内部に集塵室２０を設けた本体１０と、一方が集塵室２０の上部に接続されるとともに他方が本体１０の上部に突設され集塵室２０と本体１０の外部とを連通させる吸入管３０と、集塵室２０内に収納され塵挨を捕集する集塵フィルタ４０と、一方が集塵室２０の底部に接続されるとともに他方が本体１０の下部に突設され集塵室２０と本体１０の外部とを連通させる排出管５０と、排出管５０の中間に配設された吸引ポンプ６０と、を備えている。これにより、排出管５０に排出ホースを接続し、排出ホースの先を付近の排水管の排水口に接続すれば、悪臭を含んだ空気および液体を排水管内に放出させることができる。【選択図】図１
0003164935.tif 000002
【実用新案登録請求の範囲】
【請求項１】
内部に外部と気密に隔てられた集塵室を設け、上下に分離または開閉可能に形成されている本体と、
一方が前記集塵室の上部に接続されるとともに他方が前記本体の上部に突設され、前記集塵室と前記本体の外部とを連通させる吸入管と、
前記集塵室内に収納され、塵挨を捕集し空気と液体を通過させる集塵フィルタと、
一方が前記集塵室の底部に接続されるとともに他方が前記本体の下部に突設され、前記集塵室と前記本体の外部とを連通させる排出管と、
前記排出管の中間に配設され、前記集塵室内の液体と空気を前記本体の外部に排出させる吸引ポンプと、
を備えたことを特徴とする乾湿両用バキュームクリーナー。
【請求項２】
請求項１において、
前記吸引ポンプは、羽根状の回転子であるインペラと、
このインペラを回転駆動させるモータと、
このインペラを収納するインペラハウジングと、
を備え、前記モータが前記インペラの水平方向に配設されていることを特徴とする乾湿両用バキュームクリーナー。
【考案の詳細な説明】
【技術分野】
【０００１】
本考案は、固形物と液体の両方を吸引可能なバキュームクリーナーに関するものである。
【背景技術】
【０００２】
従来、タンクと、タンクの上部に連結された電動バキュームポンプと、タンクに連結された吸引ホースとを備え、電動バキュームポンプによってタンク内の空気を吸引することでタンク内の圧力と大気圧との差を生じさせ、吸引ホース先端から対象物をタンク内に吸い上げるという乾湿両用のバキュームクリーナーがよく知られている（例えば、特許文献１、２）。
【０００３】
従来のバキュームクリーナーは、液体を溜めるタンクが設けられており、吸引する液体の量が少ない場合は、バキュームクリーナーを自由に移動させることができ非常に便利である。
【０００４】
また、従来のバキュームクリーナーは、タンク内の空気のみを吸い込むように、電動バキュームポンプがタンクの上部に連結されているため、モータに水が浸入することによる故障を防ぐことができる。
【０００５】
しかし、従来のバキュームクリーナーを沈殿槽等の清掃に使用した場合、以下のような問題があった。第一に、従来のバキュームクリーナーでは、タンク内の空気を強制的に排出して吸引を行うという構造のため、沈殿物が腐敗している場合などは吸引時にひどい悪臭を周囲に放出させるというものである。そして、第二に、水の量が多い場合は、タンク内に溜まった水を頻繁に排出させる必要があり、効率的でないというものである。
【先行技術文献】
【特許文献】
【０００６】
【特許文献１】特開平６−３２７５８８号公報
【特許文献２】特開平７−３９４７７号公報
【考案の概要】
【考案が解決しようとする課題】
【０００７】
本考案は、このような事情に鑑みてなされたものであり、沈殿槽等の清掃時に悪臭を周囲に放出させることなく、また、タンク内に水が溜まるということを気にすることなく使用できる乾湿両用のバキュームクリーナーを提供することを目的としている。
【課題を解決するための手段】
【０００８】
上記課題を解決するために、請求項１に係る考案では、乾湿両用バキュームクリーナーにおいて、内部に外部と気密に隔てられた集塵室を設け上下に分離または開閉可能に形成されている本体と、一方が集塵室の上部に接続されるとともに他方が本体の上部に突設され集塵室と本体の外部とを連通させる吸入管と、集塵室内に収納され塵挨を捕集し空気と液体を通過させる集塵フィルタと、一方が集塵室の底部に接続されるとともに他方が本体の下部に突設され集塵室と本体の外部とを連通させる排出管と、排出管の中間に配設され集塵室内の液体と空気を本体の外部に排出させる吸引ポンプと、を備えたことを特徴としている。なお、ここで底部とは、集塵室内の最も低い部分をいう。
【０００９】
また、請求項２に係る考案では、請求項１に記載の乾湿両用バキュームクリーナーにおいて、吸引ポンプは、羽根状の回転子であるインペラと、インペラを回転駆動させるモータと、インペラを収納するインペラハウジングと、を備え、モータがインペラの水平方向に配設されていることを特徴としている。
【考案の効果】
【００１０】
本考案に係る乾湿両用バキュームクリーナーによれば、吸い込んだ空気と液体は、排出管から放出される。このため、排出管にホースを接続し、ホースの先を付近の排水管の排水口に接続すれば、悪臭を含んだ空気を排水管内に放出させることができる。すなわち、周囲に悪臭を放出することはない。また、液体も本体内部に溜まることなく排水管内に放出されるため、タンク内に液体が溜まるということを気にせず使用することができる。
【００１１】
また、本考案に係る乾湿両用バキュームクリーナーによれば、吸い込んだ空気と液体は、排出管から勢いよく放出される。このため、排水口が本体より少しぐらい高い位置にあっても、他のポンプ等を使用する必要がない。
【００１２】
また、本考案に係る乾湿両用バキュームクリーナーの吸引ポンプは、横置きとなっているため、液体が通過するインペラからモータを水平方向に遠ざけることができ、モータの故障を防止することができる。
【００１３】
また、本考案に係る乾湿両用バキュームクリーナーは、液体を溜めるタンクを有していない。このため、通常、乾湿両用バキュームクリーナーが備えているフロート装置を設ける必要がなく、構造を簡単にすることができる。
【図面の簡単な説明】
【００１４】
【図１】乾湿両用バキュームクリーナー（実施例１）を示した概略図である。
【図２】乾湿両用バキュームクリーナーの使用例を示した図である。
【図３】吸引ポンプの変形例を示した図である。
【考案を実施するための形態】
【００１５】
以下、本考案である乾湿両用バキュームクリーナーを具体化した実施例について図面を参照しつつ説明する。
【実施例１】
【００１６】
まず、実施例１の乾湿両用バキュームクリーナー１の構成について、主に図１を参照して説明する。乾湿両用バキュームクリーナー１は、本体１０、集塵室２０、吸入管３０、集塵フィルタ４０、排出管５０、吸引ポンプ６０で構成される。
【００１７】
本体１０は、中空の円柱形状で上部１１と下部１２とで構成され、上部１１と下部１２とは、図示しないクランプによって図示しないゴムパッキンを介し固定されている。本体１０の材質は、ステンレスである。
【００１８】
集塵室２０は、本体１０の内部に形成され、本体１０の外部と気密に隔てられている。集塵室２０の形状は、本体１０の外形とほぼ同じであるが、底面は、中心からやや外周よりの所定の位置（底部２２）が周囲と比較して低く形成されている。集塵室２０の側面の中間部には、中心部に向かって突出した内壁係合突起２１が、側面の内周に沿って環状に形成されている。
【００１９】
吸入管３０は、一方が集塵室２０の上部に接続されるとともに他方が本体１０の上部に突設され、集塵室２０と本体１０の外部とを連通させている。吸入管３０には、図２に示すとおり、吸入ホース３１が着脱可能に連結される。吸入ホース３１は、使用時に内部の圧力が低くなるため、外圧によりつぶれないように樹脂製のコイルが埋め込まれている。吸入ホース３１の先には、吸入口３２が設けられている。
【００２０】
集塵フィルタ４０は、内側のフィルタ４１と外側のフィルタ４２とで構成され、分離可能な二重構造になっている。それぞれのフィルタ４１、４２は、有底円筒状で、内側のフィルタ４１よりも外側のフィルタ４２のほうがメッシュが細かくなっている。これにより、集塵フィルタ４０は、塵挨を捕集し、空気とろ過された液体とを通過させる。また、それぞれのフィルタ４１、４２は、上端開口部周縁にフランジ状の取付部４１ａ、４２ａが形成されている。取付部４１ａおよび４２ａの外周は集塵室２０の内周よりわずかに小さくなっている。そして、集塵室２０内の内壁係合突起２１上に取付部４２ａを乗せ、さらにその上に取付部４１ａを重ねて乗せることで、集塵フィルタ４０は集塵室２０内に収納される。なお、集塵フィルタ４０の形状が有底円筒状なのは、目詰まりを防ぐためであり、できるだけ軸方向に長い円筒状であるのが好ましい。
【００２１】
排出管５０は、一方が集塵室２０の底部２２に接続されるとともに他方が吸引ポンプ６０に接続された前段部５０ａと、一方が吸入ポンプ６０に接続されるとともに他方が本体１０の下部に突設された後段部５０ｂとで構成され、集塵室２０と本体１０の外部とを連通させている。排出管５０には、図２に示すとおり、排出ホース５１が着脱可能に連結される。
【００２２】
吸引ポンプ６０は、図示しないインペラ、モータ６２、インペラハウジング６３とで構成されるとともに排出管５０の中間に配設され、本体に固定板１３を介して固定されている。さらに具体的には、インペラは、渦又は放射状に羽根が伸びた回転子であり、中心から空気及び液体を流入させ円周方向に排出させる。また、インペラは、モータ６２から水平方向に延びる出力軸６２１に直結されている。モータ６２は、本体１０の上部１１上に配設された図示しない起動・停止スイッチにより起動・停止される。
【００２３】
インペラハウジング６３は、軸方向のほうが半径方向よりも短い中空の略円柱形状で、軸心が水平になるように配設され、インペラを収納している。モータ６２側の端面の中心には出力軸６２１が回転可能に液密に貫通している。反対側の端面の中心には排出管５０の前段部５０ａが接続され、インペラハウジング６３の内部と集塵室２０とを連通させている。インペラハウジング６３周面の下部には、排出管５０の後段部５０ｂが接続され、インペラハウジング６３の内部と本体１０の外部とを連通させている。
【００２４】
つぎに、このように構成された乾湿両用バキュームクリーナー１を沈殿槽の清掃に使用した場合の使用状態を図１および図２を参照して説明する。
【００２５】
まず、図２に示すとおり、排出管５０に排出ホース５１の一端を接続し、ホースの他端を沈殿槽の排水口に接続する。つぎに、本体１０に設けられた起動・停止スイッチをＯＮにしてモータ６２を起動させる。そうすると、モータ６２の出力軸６２１に直結されたインペラが回転し、集塵室２０内に吸引力（負圧）が発生する。ここで、吸入口３２を沈殿槽内に入れると、固形物と水が空気とともに、吸入ホース３１、吸入管３０を通って集塵室２０内に吸引される。
【００２６】
集塵室２０内に吸引された固形物と水は、吸引ポンプ６０の吸引力と重力により、空気とともに下方に移動し集塵フィルタ４０でろ過される。そして、ろ過後の水および空気は、排出管５０の前段部５０ａ、インペラハウジング６３、排出管５０の後段部５０ｂ、排出ホース５１、沈殿槽の排水口を通って沈殿槽の排水管内に放出される。このように、吸引された空気は、本体１０の外部に放出されることなく沈殿槽の排水管内に放出されるため、たとえ吸引した空気が悪臭を伴うものであっても周囲に悪臭を放つことはない。また、吸引した水も随時沈殿槽の排水管内に放出されるため、タンクに水が溜まるということを気にせず作業を続けることができる。
【００２７】
清掃が進んで、水がほとんどなくなれば、固形物のみが空気とともに集塵室２０内に吸引されるが、この場合は、空気のみが沈殿槽の排水管内に放出されることとなる。
【００２８】
なお、実施の形態は、前記実施例に限定されるものではなく、例えば次のように適宜変更して実施することもできる。
（１）本体の材質を樹脂とする。
（２）集塵フィルタの形状を円錐台状とする。
（３）本体を中空の四角柱形状とする。この場合は、集塵フィルタの形状も断面が四角形の有底筒状、または四角錐台状とする。
（４）吸引ポンプを図３のような構造とする。この吸引ポンプでは、図示しないインペラは、シャフト６３１に連結され、軸心が垂直方向となるように配設されている。また、モータ６２も出力軸６２１が垂直かつ下方方向となるように配設されている。シャフト６３１および出力軸６２１は、それぞれ図示しない軸受を介し、固定板１３に固定されている。シャフト６３１および出力軸６２１には、それぞれプーリ６３２、６２２が連結され、モータ６２の駆動力が、Ｖベルト６２３を介して、インペラに伝達するようになっている。
【符号の説明】
【００２９】
１：乾湿両用バキュームクリーナー１（実施例１）
１０：本体、  １１：上部、  １２：下部、    １３：固定板
２０：集塵室、  ２１：内壁係合突起、    ２２：底部
３０：吸入管、  ３１：吸入ホース、  ３２：吸入口
４０：集塵フィルタ
４１：内側のフィルタ、    ４１ａ：取付部
４２：外側のフィルタ、    ４２ａ：取付部
５０：排出管、    ５０ａ：前段部、    ５０ｂ：後段部、    ５１：排水ホース
６０：吸引ポンプ
６２：モータ、  ６２１、出力軸、    ６２２：プーリ、    ６２３：Ｖベルト
６３：インペラハウジング、    ６３１：シャフト、    ６３２：プーリ
【図１】
0003164935.tif 000003
【図２】
0003164935.tif 000004
【図３】
0003164935.tif 000005